(57)【要約】【課題】本発明は、容易に点灯開始時間を調整することができる点灯装置と照明器具を提供することを目的とする。【解決手段】外部電源が供給されて整流電圧を充電する平滑回路と、該外部電源の該平滑回路への供給有無を切り替えるスイッチと、該平滑回路の出力を光源の点灯用の電力に変換する点灯回路と、該点灯回路を制御する点灯制御部と、を備え、該点灯制御部は、該外部電源が該平滑回路に供給された後の予め定められた時間変更受付期間に該スイッチがオフされた場合に点灯開始時間モードへ移行し、該点灯開始時間モードでの該スイッチのプルレス操作に応じて該光源の点灯開始時間を変更する。【選択図】図１
2019216010.tif 000002
【特許請求の範囲】
【請求項１】
外部電源が供給されて整流電圧を充電する平滑回路と、
前記外部電源の前記平滑回路への供給有無を切り替えるスイッチと、
前記平滑回路の出力を光源の点灯用の電力に変換する点灯回路と、
前記点灯回路を制御する点灯制御部と、を備え、
前記点灯制御部は、前記外部電源が前記平滑回路に供給された後の予め定められた時間変更受付期間に前記スイッチがオフされた場合に点灯開始時間モードへ移行し、前記点灯開始時間モードでの前記スイッチのプルレス操作に応じて前記光源の点灯開始時間を変更することを特徴とする点灯装置。
【請求項２】
前記点灯制御部は、前記点灯開始時間モードでの前記スイッチのプルレス操作回数に応じて前記光源の点灯開始時間を変更することを特徴とする請求項１に記載の点灯装置。
【請求項３】
前記点灯制御部は、変更後の前記点灯開始時間を記憶することを特徴とする請求項２に記載の点灯装置。
【請求項４】
前記点灯制御部は、前記点灯開始時間モードで、
予め定められた待機期間に前記スイッチのプルレス操作があったか判定し、前記プルレス操作があった場合には前記プルレス操作回数を１回増加させて次の待機期間を設定し、前記プルレス操作がなかった場合には、前記プルレス操作回数に応じて前記点灯開始時間を変更することを特徴とする請求項２又は３に記載の点灯装置。
【請求項５】
前記点灯制御部は、前記平滑回路が前記外部電源の供給を受けてから前記平滑回路の充電電圧が予め定められた電圧になるまでの時間以上の値を前記点灯開始時間の最小値とすることを特徴とする請求項１から４のいずれか１項に記載の点灯装置。
【請求項６】
前記スイッチのプルレス操作を検出して前記点灯制御部に検出結果を伝送するプルレス操作検出回路を備え、
前記プルレス操作検出回路は、前記外部電源が前記平滑回路へ供給されるオン期間と前記外部電源が前記平滑回路から遮断されるオフ期間の組み合わせからなるプルレス操作を検出することを特徴とする請求項１から５のいずれか１項に記載の点灯装置。
【請求項７】
前記点灯制御部は、前記外部電源が前記平滑回路に供給された後の予め定められた段調光受付期間に前記スイッチがオフされた場合に、段調光モードへ移行し、前記段調光モードでの前記スイッチのプルレス操作に応じて調光することを特徴とする請求項１から６のいずれか１項に記載の点灯装置。
【請求項８】
前記点灯制御部は、前記点灯開始時間になって前記光源が暗状態から予め定められた明るさまで変化する速度を変更することを特徴とする請求項１から７のいずれか１項に記載の点灯装置。
【請求項９】
請求項１から８のいずれか１項に記載の点灯装置と、
前記点灯装置から電力の供給を受ける光源と、を備えた照明器具。
【発明の詳細な説明】
【技術分野】
【０００１】
本発明は点灯装置とその点灯装置を含む照明器具に関する。
【背景技術】
【０００２】
特許文献１には、いわゆるプルレス操作により段階的に照明器具の明るさを変化させることのできる点灯装置が開示されている。プルレス操作とは、一般的に、電源スイッチのオンとオフを短時間に切替える操作のことをいう。
【先行技術文献】
【特許文献】
【０００３】
【特許文献１】特開２００５−２８５７２５号公報
【発明の概要】
【発明が解決しようとする課題】
【０００４】
プルレス操作によって段調光などの制御が変更可能である。しかしながら、複数設置された照明器具の一部を更新した場合など、同じ形状の照明器具であっても更新した照明器具の仕様変更によって複数の照明器具の点灯開始時間が異なる場合がある。例えば同じフロアに点灯開示時間が早い仕様の照明器具と、点灯開示時間が遅い仕様の照明器具が混在している場合、複数の照明器具の点灯時間にばらつきが生じ、使用者に違和感又は不快感を生じさせる場合があった。従来の照明器具は点灯開始時間を調整する機能を有していないので、照明器具の点灯開始時間を揃えるために、すでに設置した照明器具を入れ替えざるを得ない場合があった。
【０００５】
本発明は、上述のような課題を解決するためになされたもので、容易に点灯開始時間を調整することができる点灯装置と照明器具を提供することを目的とする。
【課題を解決するための手段】
【０００６】
本願の発明に係る点灯装置は、外部電源が供給されて整流電圧を充電する平滑回路と、該外部電源の該平滑回路への供給有無を切り替えるスイッチと、該平滑回路の出力を光源の点灯用の電力に変換する点灯回路と、該点灯回路を制御する点灯制御部と、を備え、該点灯制御部は、該外部電源が該平滑回路に供給された後の予め定められた時間変更受付期間に該スイッチがオフされた場合に点灯開始時間モードへ移行し、該点灯開始時間モードでの該スイッチのプルレス操作に応じて該光源の点灯開始時間を変更することを特徴とする。
【０００７】
本発明のその他の特徴は以下に明らかにする。
【発明の効果】
【０００８】
本発明によれば、プルレス操作によって簡単に照明器具の点灯開始時間を調整できる。これにより、点灯開始時間が異なる照明器具が混在していても照明器具の点灯開始時間を揃えることができるため、使用者に違和感又は不快感を与えず照明器具を点灯することができる。
【図面の簡単な説明】
【０００９】
【図１】実施の形態にかかる点灯装置の構成例を示す回路図である。
【図２】光源点灯前の処理を示すフローチャートである。
【図３】段調光モードにおける処理を示すフローチャートである。
【図４】点灯開始時間モードにおける処理を示すフローチャートである。
【図５】段調光受付期間と時間変更受付期間を示すタイムチャートである。
【図６】段調光モードの処理を示すタイムチャートである。
【図７】点灯開始時間モードの処理を示すタイムチャートである。
【図８】点灯開始時間の設定範囲を示すタイムチャートである。
【発明を実施するための形態】
【００１０】
本発明の実施の形態に係る点灯装置と照明器具について図面を参照して説明する。同じ又は対応する構成要素には同じ符号を付し、説明の繰り返しを省略する場合がある。
【００１１】
実施の形態．
図１は、実施の形態にかかる点灯装置１００の構成例を示す回路図である。図１には、外部電源である交流電源ＡＣに接続される点灯装置１００と、この点灯装置１００から電力が供給されて点灯する光源１５０とを備える照明器具２００が示されている。交流電源ＡＣと点灯装置１００との間には、それらの電気的接続をオンオフするためのスイッチＳＷが設けられている。
【００１２】
点灯装置１００は、ダイオードブリッジＤＢと、ＡＣ電源検出回路１０と、平滑回路２０と、点灯回路３０と、制御回路４０とを備えている。ダイオードブリッジＤＢは、入力される交流電圧を整流する。ＡＣ電源検出回路１０は、ダイオードブリッジＤＢに接続され、交流電源ＡＣが供給されていることを検出する。平滑回路２０は、ダイオードブリッジＤＢの出力電圧を昇圧し平滑化する。点灯回路３０は、平滑回路２０の電圧を光源１５０に合わせた電力に変換する。
【００１３】
制御回路４０は、ＡＣ電源検出部１と、平滑回路２０に対する駆動制御部２と、点灯回路３０に対する駆動制御部３と、点灯制御部４とを備える。制御回路４０の全体又は一部をマイクロコンピュータおよびマイクロコンピュータの周辺回路によって構成することができる。
【００１４】
ＡＣ電源検出部１は、ＡＣ電源検出回路１０の出力から交流電源ＡＣの供給の有無を検出する。駆動制御部２は、平滑回路２０のスイッチング素子であるＭＯＳＦＥＴＱ１を制御する信号を出力する。駆動制御部３は、点灯回路３０のスイッチング素子であるＭＯＳＦＥＴＱ２を制御する信号を出力する。点灯制御部４は、ＡＣ電源検出部１と、駆動制御部２と、駆動制御部３に接続され、点灯装置１００を制御する。また、直列に接続された抵抗Ｒ３、Ｒ４が電解コンデンサＣ１に並列に接続されている。点灯制御部４は、抵抗Ｒ３、Ｒ４にかかる電圧を分圧して得た電圧により定電圧制御を行い、電流検出抵抗Ｒ５に掛かる電流を検出することで定電流制御を行う。したがって、点灯制御部４が点灯回路３０を制御するということができる。
【００１５】
ＡＣ電源検出回路１０は、抵抗Ｒ１、Ｒ２が直列に接続したものである。抵抗Ｒ１、Ｒ２はダイオードブリッジＤＢの出力電圧を分圧する。この分圧した電圧は交流電源ＡＣの供給の有無を判別するための検出信号として、ＡＣ電源検出部１に入力される。ＡＣ電源検出部１は、ＡＣ電源検出回路１０が出力した電圧のＡ／Ｄ変換値が、予め定めた判定電圧値以上の場合は交流電源ＡＣの供給有りと判定し、判定電圧値未満の場合は交流電源ＡＣの供給無しと判定する。言いかえれば、ＡＣ電源検出部１は、スイッチＳＷのオンオフによって外部電源の平滑回路２０への供給有無を切り替えたことを検知する。
【００１６】
次に、プルレス操作について説明する。スイッチＳＷがプルレス操作されたときには、交流電源ＡＣの供給の有無が短期間で切り替わり、ＡＣ電源検出回路１０の出力電圧が変化する。ＡＣ電源検出回路１０の出力電圧に基づいてＡＣ電源検出部１によりプルレス操作を検出することができる。本実施の形態の「プルレス操作」は交流電源ＡＣが供給されるオン期間と交流電源ＡＣが遮断されるオフ期間の組み合わせからなるスイッチＳＷの操作である。したがってＡＣ電源検出部１は、スイッチＳＷのプルレス操作を検出して点灯制御部４に検出結果を伝送するプルレス操作検出回路として機能する。このプルレス操作検出回路は、外部電源が平滑回路２０へ供給されるオン期間と外部電源が平滑回路２０から遮断されるオフ期間の組み合わせからなるプルレス操作を検出する。例えば、本実施の形態のプルレス操作はスイッチＳＷを例えば３秒という短期間でオン、オフ、オンとこの順に操作することをいう。
【００１７】
平滑回路２０は外部電源が供給されて整流電圧を充電する回路である。平滑回路２０は、ダイオードブリッジＤＢにて全波整流された電圧を昇圧するために、インダクタＬ１と、ＭＯＳＦＥＴＱ１と、ダイオードＤ１と、抵抗Ｒ３と、抵抗Ｒ４と、電解コンデンサＣ１とを備える。インダクタＬ１の一端は、ダイオードブリッジＤＢの高電位側の出力に接続される。インダクタＬ１の他端には、ＭＯＳＦＥＴＱ１のドレインとダイオードＤ１のアノードが接続される。ＭＯＳＦＥＴＱ１のソースは、ダイオードブリッジＤＢの低電位側の出力に接続される。ＭＯＳＦＥＴＱ１のゲートは駆動制御部２の出力に接続される。ダイオードＤ１のカソードは、抵抗Ｒ３の一端と電解コンデンサＣ１の正極に接続される。抵抗Ｒ３の他端は、Ｒ４の一端と点灯制御部４が接続される。Ｒ４の他端は、ダイオードブリッジＤＢの低電位側の出力に接続される。
【００１８】
駆動制御部２から出力される信号によってＭＯＳＦＥＴＱ１のオンオフのスイッチング制御が行われる。ＭＯＳＦＥＴＱ１のオン時は、インダクタＬ１に電流が流れてインダクタＬ１にエネルギーが蓄えられる。ＭＯＳＦＥＴＱ１のオフ時は、インダクタＬ１に蓄えられたエネルギーがダイオードＤ１から電解コンデンサＣ１の経路で放出され、電解コンデンサＣ１の電圧は高い電圧に昇圧する。
【００１９】
点灯回路３０は、平滑回路２０の出力を光源の点灯用の電力に変換する。点灯回路３０は、ＭＯＳＦＥＴＱ２と、ダイオードＤ２と、インダクタＬ２と、電流検出抵抗Ｒ５と、コンデンサＣ２とを備える。ＭＯＳＦＥＴＱ２のドレインは、平滑回路２０の出力に接続される。ＭＯＳＦＥＴＱ２のソースには、インダクタＬ２の一端とダイオードＤ２のカソードが接続される。ＭＯＳＦＥＴＱ２のゲートは駆動制御部３の出力に接続される。ダイオードＤ２のアノードは、ダイオードブリッジＤＢの低電位側の出力に接続される。インダクタＬ２の他端は、コンデンサＣ２の一端に接続される。コンデンサＣ２の他端は、電流検出抵抗Ｒ５の一端と点灯制御部４に接続される。電流検出抵抗Ｒ５の他端は、ダイオードブリッジＤＢの低電位側の出力に接続される。
【００２０】
駆動制御部３から出力される信号によってＭＯＳＦＥＴＱ２のオンオフのスイッチング制御が行われる。ＭＯＳＦＥＴＱ２のオン時は、インダクタＬ２、コンデンサＣ２、電流検出抵抗Ｒ５の経路に電流が流れ、コンデンサＣ２を充電するとともに、インダクタＬ２にエネルギーが蓄えられる。ＭＯＳＦＥＴＱ２のオフ時は、インダクタＬ２に蓄えられたエネルギーが放出し、コンデンサＣ２、電流検出抵抗Ｒ５、ダイオードＤ２の順に電流が流れ、さらにコンデンサＣ２を充電する。充電された電圧が光源１５０の順方向電圧を超えると光源１５０に電流が流れる。
【００２１】
なお、本実施の形態では、平滑回路２０の出力から図示しない制御電源ＶＣＣ１が生成され、点灯制御部４に供給される。これに限らず、例えばダイオードブリッジＤＢの出力から制御電源ＶＣＣ１を生成することもできる。
【００２２】
光源１５０は、例えば、直列接続された複数の半導体発光素子ＬＥＤとすることができる。直列接続される半導体発光素子ＬＥＤの個数は４個に限定されず任意の数とすることができる。また、複数の半導体発光素子ＬＥＤを並列接続してもよい。半導体発光素子ＬＥＤの発光色は、５０００Ｋの白色としてもよいし、３５００Ｋなどの異なる色温度としてもよい。
【００２３】
点灯装置１００の動作について説明する。点灯回路３０は駆動制御部３が出力する制御信号に基づいて、光源１５０に供給する電流を決定する。光源１５０に流れる電流は、電流検出抵抗Ｒ５に流れる電流と等しい。このため、駆動制御部３は、電流検出抵抗Ｒ５に流れる電流または電流検出抵抗Ｒ５に発生する電圧を検出して、ＭＯＳＦＥＴＱ２のオンデューティ比を制御することにより、目標とする電流を光源１５０に供給するように制御する。このように、定電流制御をすることにより光源１５０の明るさを安定させる。
【００２４】
次にプルレス操作を受けて点灯開始時間を変更する制御回路４０の動作について説明する。図２−４は、本実施の形態にかかる点灯装置１００においてスイッチＳＷがプルレス操作されたときの動作を示すフローチャートである。図５−７は点灯装置１００の処理例を示すタイムチャートである。図８は点灯開始時間の設定範囲を示すタイムチャートである。
【００２５】
制御回路４０は、「プルレス時間カウンタ」および「プルレス回数カウンタ」を有する。「プルレス時間カウンタ」は、プルレス操作時間をカウントするためのカウンタであり、例えばマイクロコンピュータのタイマで構成される。プルレス操作時間とは、ＡＣ電源検出回路１０で検出されている交流電源ＡＣの供給が遮断されている時間、すなわち出力停止時間を意味している。例えば、プルレス操作時間を２秒以下とし、プルレス操作が点灯開始から１秒後に行われた場合、プルレス操作がされたと判断する。プルレス操作時間は２秒以下より長くしたり短くしたりさせてもよい。
【００２６】
「プルレス回数カウンタ」は、プルレス時間カウンタで指定した時間内に、プルレス操作が行われた場合、プルレス操作が行われたと判断しカウントを行う。例えばプルレス操作が１回行われた場合、カウント回数を１回増加させる。また、プルレス回数カウンタの上限値を定め、上限値を超えてプルレス操作を行った場合、そのプルレス操作によるプルレス回数カウンタを無効とする。制御回路４０は、光源１５０の累積点灯時間をカウントするための「累積点灯時間カウンタ」をさらに備えても良い。「プルレス時間カウンタ」および「プルレス回数カウンタ」は例えばＡＣ電源検出部１に設けることができる。
【００２７】
プルレス操作時間が短期間であれば、スイッチＳＷの意図的なオン、オフ、オンと切り換える操作、つまりプルレス操作があったと判断できる。つまり、本実施の形態ではスイッチＳＷの操作自体を監視するのではなく、スイッチＳＷの操作の結果として生ずる外部電源の供給の断続を監視することで、プルレス操作の有無を検出する。
【００２８】
図１、図８を用いて、点灯開始時間の設定可能な範囲について説明する。図８には、点灯装置１００への入力電圧と、電解コンデンサＣ１の電極間に生じる電圧であるＣ１間電圧と、点灯装置１００の出力電圧の波形が示されている。時刻Ｔａを経過すると、外部電源が供給され平滑回路２０の電解コンデンサＣ１間に掛かる電圧が上昇する。上昇したＣ１間電圧が閾値電圧Ｖａに達したときの時刻をＴｂとする。Ｃ１間電圧が閾値電圧Ｖａを超えてオーバーシュートした後に安定するまでの最短の時刻をＴｃ＿ｍｉｎとする。Ｔｂ−Ｔｃ＿ｍｉｎの区間での光源点灯は可能であるが、Ｃ１間電圧が安定していないので、光源１５０にちらつきが生じ使用者に違和感又は不快感を与えてしまうおそれがある。そこで、本実施の形態では、Ｔｂ−Ｔｃ＿ｍｉｎ区間での光源点灯を制限している。Ｔｃ＿ｍｉｎ以降は、Ｃ１間電圧が安定しており、光源１５０のちらつきがないため、Ｔｃ＿ｍｉｎ−Ｔｃ＿ｍａｘの区間を点灯開始時間が設定可能な範囲としている。すなわち、点灯制御部４は、平滑回路２０が外部電源の供給を受けてから平滑回路２０の充電電圧が予め定められた電圧になるまでの時間以上の値を点灯開始時間の最小値とする。
【００２９】
次に図２〜４のフローチャート、図５〜８のタイムチャートを用いて、制御回路４０の動作について説明する。まず、図２のステップＳ１にて、時刻Ｔ１にスイッチＳＷをオンさせ、時刻Ｔ２に光源が点灯する。図５には、時刻Ｔ１、Ｔ２が示されている。このとき制御回路４０では、点灯開始時間が時刻Ｔ２（Ｔｃ＿０（Ｔｃ＿ｄｅｆａｕｌｔ））に設定されていることとする。図５に示すように制御回路４０は、外部電源が平滑回路２０に供給された後の時刻Ｔ２〜Ｔ３までの期間を段調光モードの変更受付期間とし、時刻Ｔ３〜Ｔ４までの期間を点灯開始時間の変更受付期間としている。時刻Ｔ２〜Ｔ３までの期間を段調光受付期間といい、時刻Ｔ３〜Ｔ４までの期間を時間変更受付期間という。段調光受付期間と時間変更受付期間の前後を入れ替えたり、段調光受付時間を省略したりしてもよい。
【００３０】
時刻Ｔ２〜Ｔ３の期間においてスイッチＳＷをオフさせた場合、段調光モードが設定され、段調光モードカウント回数Ｍが０となる。図２ではステップＳａ２、ステップＳａ３、ステップＳａ４にてこれらの処理が行われる。すなわち、点灯制御部４は、外部電源が平滑回路２０に供給された後の予め定められた段調光受付期間にスイッチＳＷがオフされた場合に、段調光モードへ移行する。
【００３１】
時刻Ｔ３〜Ｔ４の期間においてスイッチＳＷをオフさせた場合、点灯開始時間モードが設定され、点灯開始時間モードカウント回数Ｎが０となる。図２ではステップＳｂ２、ステップＳｂ３、ステップＳｂ４にてこれらの処理が行われる。すなわち、点灯制御部４は、外部電源が平滑回路２０に供給された後の予め定められた時間変更受付期間にスイッチＳＷがオフされた場合に、点灯開始時間モードへ移行する。
【００３２】
時刻Ｔ２〜Ｔ３までの期間でスイッチＳＷがオフされず、時刻Ｔ３〜Ｔ４までの期間でもスイッチＳＷがオフされなかった場合は、通常点灯となる。図２でいえば、ステップＳｃ２に進む。
【００３３】
［段調光モード］
段調光モードについて説明する。図２のステップＳａ５では、段調光モードに設定されてから、例えば２秒以下の短期間の間にプルレス操作が行われたか判定する。時間内にプルレス操作が行われた場合、ステップＳａ６にて段調光モードカウント回数Ｍが上限値を超えていないか判定する。上限値は例えば１０回である。段調光モードカウント回数Ｍが上限値を超えていなければ、ステップＳａ７に進み段調光モードカウント回数Ｍを１つ増やす。時間内にプルレス操作が行われていない場合、ステップＳａ８の段調光モード処理に移行する。また、段調光モードカウント回数Ｍが上限値を超えていれば、ステップＳａ８の段調光モード処理に移行する。
【００３４】
図３には、段調光モード処理の例が示されている。段調光モード処理は、事前に行われたプルレス操作のカウント回数を利用して、カウント回数に適合する動作を行うものである。
【００３５】
ステップＳａ９にて、段調光モードカウント回数Ｍが１未満であればステップＳａ２５に進み段調光モード設定を終了し、段調光モードカウント回数Ｍが１以上であればステップＳａ１０にて次のカウント回数の確認を行う。
【００３６】
ステップＳａ１０にて、段調光モードカウント回数Ｍが２未満であれば、ステップＳａ２５に進み段調光モード処理を終了し、段調光モードカウント回数Ｍが２以上であればステップＳａ１１にて次のカウント回数の確認を行う。
【００３７】
ステップＳａ１１にて、段調光モードカウント回数Ｍが３未満であれば、ステップＳａ１２にて段調光モードが「出力状態の確認」に設定されて終了し、段調光モードカウント回数Ｍが３以上であればステップＳａ１３にて次のカウント回数の確認を行う。
【００３８】
ステップＳａ１３にて、段調光モードカウント回数Ｍが４未満であれば、ステップＳａ１４にて段調光モードが「出力の切り換え」に設定され終了し、段調光モードカウント回数Ｍが４以上であればステップＳａ１５にて次のカウント回数の確認を行う。
【００３９】
ステップＳａ１５にて、段調光モードカウント回数Ｍが５未満であれば、ステップＳａ１６にて段調光モードが「出力リセット」に設定され終了し、段調光モードカウント回数Ｍが５以上であればステップＳａ１７にて次のカウント回数の確認を行う。
【００４０】
ステップＳａ１７にて、段調光モードカウント回数Ｍが６未満であればステップＳａ２５にて段調光モード処理を終了し、段調光モードカウント回数Ｍが６以上であればステップＳａ１８にて次のカウント回数の確認を行う。
【００４１】
ステップＳａ１８にて、段調光モードカウント回数Ｍが７未満であれば、ステップＳａ１９にて段調光モードが「初期照度補正のリセット」に設定され終了し、段調光モードカウント回数Ｍが７以上であればステップＳａ２０にて次のカウント回数の確認を行う。
【００４２】
ステップＳａ２０にて、段調光モードカウント回数Ｍが８未満であればステップＳａ２５にて段調光モード処理を終了し、段調光モードカウント回数Ｍが８以上であればステップＳａ２１にて次のカウント回数の確認を行う。
【００４３】
ステップＳａ２１にて、段調光モードカウント回数Ｍが９未満であればステップＳａ２２にて段調光モードが「リセットキャンセル」に設定され終了し、段調光モードカウント回数Ｍが９以上であればステップＳａ２３にて次のカウント回数の確認を行う。
【００４４】
ステップＳａ２３にて、段調光モードカウント回数Ｍが１０未満であれば、ステップＳａ２５にて段調光モード処理を終了し、段調光モードカウント回数Ｍが１０であればステップＳａ２４にて段調光モードが「全光点灯」に設定され終了する。
【００４５】
ステップＳａ２５で段調光モード処理が確定する。その後、図２のステップＳ２６にて、スイッチＳＷをオンさせると、上述の段調光モード処理にて設定した処理が実行される。
【００４６】
図６には、段調光モードにおけるタイムチャートの例が示されている。図６において、時刻Ｔ３〜Ｔ５の期間に使用者がプルレス操作を行い、そのプルレス操作のカウント回数に応じた段調光モード処理が実現される。このように、段調光モードでのスイッチＳＷのプルレス操作に応じて調光することができる。
【００４７】
［点灯開始時間モード］
次に、点灯開始時間モードについて説明する。図２のステップＳｂ５では、点灯開始時間モードに設定されてから例えば２秒以下の短期間の間にプルレス操作が行われたか判定する。時間内にプルレス操作が行われた場合、ステップＳｂ６にて点灯開始時間モードカウント回数Ｎが上限値を超えていないか判定する。上限値は例えば７回である。点灯開始時間モードカウント回数Ｎが上限値を超えていなければ、ステップＳｂ７に進み点灯開始時間モードカウント回数Ｎを１つ増やす。時間内にプルレス操作が行われていない場合、ステップＳｂ８の点灯開始時間モード処理に移行する。また、ステップＳｂ６にて点灯開始時間モードカウント回数Ｎが上限値を超えていれば、ステップＳｂ８の点灯開始時間モード処理に移行する。なお、点灯開始時間モードカウント回数Ｎは、プルレス操作回数である。
【００４８】
このように、点灯制御部４は、点灯開始時間モードに進むと、予め定められた待機期間にスイッチＳＷのプルレス操作があったか判定し、プルレス操作があった場合には上限値を超えない限りプルレス操作回数を１回増加させて次の待機期間を設定し、プルレス操作がなかった場合には、プルレス操作回数に応じた点灯開始時間を実現する。プルレス操作回数に応じた点灯開始時間の設定例が図４に示されている。
【００４９】
図４を参照しつつ、点灯開始時間モード処理の例について説明する。点灯開始時間モード処理は、図２のステップＳｂ５、Ｓｂ６、Ｓｂ７にて設定されたプルレス操作回数を利用して、当該プルレス操作回数に適合する動作を行うものである。
【００５０】
図４のステップＳｂ９にて、プルレス操作回数Ｎが１未満であればステップＳｂ２２に進み点灯開始時間モード設定を終了し、プルレス操作回数Ｎが１以上であればステップＳｂ１０にて次のカウント回数の確認を行う。
【００５１】
ステップＳｂ１０にて、プルレス操作回数Ｎが２未満であればステップＳｂ２２に進み点灯開始時間モード設定を終了し、プルレス操作回数Ｎが２以上であればステップＳｂ１１にて次のカウント回数の確認を行う。
【００５２】
ステップＳｂ１１にて、プルレス操作回数Ｎが３未満であれば、ステップＳｂ１２に進み点灯開始時間モードが「出力状態の確認」に設定され終了し、プルレス操作回数Ｎが３以上であればステップＳｂ１３にて次のカウント回数の確認を行う。
【００５３】
ステップＳｂ１３にて、プルレス操作回数Ｎが４未満であればステップＳｂ１４に進み点灯開始時間が「点灯開始時間Ｔｃ＿−２（Ｔｃ＿ｍｉｎ）」に設定され終了する。点灯開始時間Ｔｃ＿−２（Ｔｃ＿ｍｉｎ）は図８に示されている。他方、ステップＳｂ１３にて、プルレス操作回数Ｎが４以上であればステップＳｂ１５にて次のカウント回数の確認を行う。
【００５４】
ステップＳｂ１５にて、プルレス操作回数Ｎが５未満であれば、ステップＳｂ１６に進み点灯開始時間が「点灯開始時間Ｔｃ＿−１」に設定され終了する。点灯開始時間Ｔｃ＿−１は図８に示されている。他方、ステップＳｂ１５にて、プルレス操作回数Ｎが５以上であればステップＳｂ１７にて次のカウント回数の確認を行う。
【００５５】
ステップＳｂ１７にて、プルレス操作回数Ｎが６未満であれば、ステップＳｂ１８に進み点灯開始時間が「点灯開始時間Ｔｃ＿０」に設定され終了する。点灯開始時間Ｔｃ＿０は図８に示されるようにデフォルトの点灯開始時間である。他方、ステップＳｂ１７にて、プルレス操作回数Ｎが６以上であればステップＳｂ１９にて次のカウント回数の確認を行う。
【００５６】
ステップＳｂ１９にて、プルレス操作回数Ｎが７未満であれば、ステップＳｂ２０に進み点灯開始時間が「点灯開始時間Ｔｃ＿＋１」に設定され終了する。点灯開始時間Ｔｃ＿＋１は図８に示されている。他方、ステップＳｂ１９にてプルレス操作回数Ｎが７であればステップＳｂ２１に進み、点灯開始時間が「点灯開始時間Ｔｃ＿＋２」に設定され終了する。点灯開始時間Ｔｃ＿＋２は図８に示されている。  
【００５７】
ステップＳｂ２２で点灯開始時間モード処理が確定し、図２のステップＳ２６へ処理が進められる。ステップＳ２６では、スイッチＳＷをオンさせると設定した処理が実行される。
【００５８】
図７には、点灯開始時間モードにおけるタイムチャートの例が示されている。図７において、時刻Ｔ４〜Ｔ６の期間に使用者がプルレス操作を行い、プルレス操作のカウント回数であるプルレス操作回数Ｎに応じた点灯開始時間が設定される。このように、照明器具のソフトウェアを更新することなく点灯開始時間モードでのスイッチＳＷのプルレス操作回数に応じて光源の点灯開始時間を調整することができる。点灯開始時間は、例えば、スイッチＳＷがオンされてから点灯回路３０が光源１５０に対する電力変換を開始するまでの時間である。図５において点灯開始時間を時刻Ｔ２に設定するということは、時刻Ｔ１から時刻Ｔ２までの期間は光源１５０の点灯を留保することを意味する。上述の処理によって点灯開始時間を調整することは、複数の照明器具の点灯留保期間を統一又は実質的に統一することを可能とする。いいかえれば、複数の照明器具の点灯開始時間を統一又は実質的に統一することができる。
【００５９】
上述の段調光モードでの処理と点灯開始時間モードでの処理は点灯制御部４によって行うことができる。そのような処理は専用のハードウエアで実現してもよいし、記憶装置に記憶されたプログラムをプロセッサで実行することで実現してもよい。この実施の形態では、段調光モードのカウント回数の上限値を１０回、点灯開始時間モードのカウント回数の上限値を７回としているが、これらのカウント回数は任意の値とすることができる。また、段調光モードカウント回数に対応した動作を変更したり、プルレス操作回数に対応した動作を変更したりすることができる。
【００６０】
さらに、点灯制御部４は、変更後の点灯開始時間を記憶することで、変更がない限り、記憶された点灯開始時間を継続使用することができる。点灯制御部４は、点灯開始時間になって光源が暗状態から予め定められた明るさまで変化する速度を変更することで、任意のフェードを実現することとしてもよい。
【符号の説明】
【００６１】
１  ＡＣ電源検出部、  ２  駆動制御部、  ３  駆動制御部、  ４  点灯制御部、  １０  ＡＣ電源検出回路、  ２０  平滑回路、  ３０  点灯回路、  ４０  制御回路、  １００  点灯装置、  １５０  光源、  ２００  照明器具
【図１】
2019216010.tif 000003
【図２】
2019216010.tif 000004
【図３】
2019216010.tif 000005
【図４】
2019216010.tif 000006
【図５】
2019216010.tif 000007
【図６】
2019216010.tif 000008
【図７】
2019216010.tif 000009
【図８】
2019216010.tif 000010